(57)【要約】【課題】複数の印刷モードを組み合わせて印刷可能な画像形成装置において、それぞれが要求する前記それぞれの画像の向きが矛盾する場合でも印刷が中断しないようにする。【解決手段】指定モードに応じて印刷画像の向きを変更可能な画像形成装置において、インデックス紙を伴う印刷であって（Ｓ１０１、ＹＥＳ）、画像に対するインデックスの印刷方向の指定がある場合に（Ｓ１０２、ＹＥＳ）、更にパンチの指定があれば（Ｓ１０３、ＹＥＳ）、パンチ指定位置とインデックス指定位置が合うか否かを判断し（Ｓ１０４）、合わないときは（Ｓ１０４、ＹＥＳ）、パンチ指定を解除して（Ｓ１０５）、印刷を実行する。【選択図】　　　　　図５
2004109507.tif 000002
【特許請求の範囲】
【請求項１】
指定モードに適合した画面の向きで印刷可能な画像形成装置において、
画像の向きとインデックス位置とを関連付けて指定する手段と、
インデックス紙の印刷画像の向きと他の指定モードに適合した印刷画像の向きとを対比判断する手段と、前記それぞれの画像の向きが矛盾しているとき、前記他の指定モードを解除すると共に指定した画像の向きとインデックス位置の指定により印刷を行うよう制御する手段と、
を備えたことを特徴とする画像形成装置。
【請求項２】
指定モードに適合した画面の向きで印刷可能な画像形成装置において、
画像の向きとインデックス位置とを関連付けて指定する手段と、
インデックス紙の印刷画像の向きと他の指定モードに適合した印刷画像の向きとを対比判断する手段と、前記それぞれの画像の向きが矛盾しているとき、指定した画像の向きとインデックス位置の指定を解除すると共に、前記他の指定モードにより印刷を行うよう制御する手段と、
を備えたことを特徴とする画像形成装置。
【請求項３】
指定モードに適合した画面の向きで印刷可能な画像形成装置において、
画像の向きとインデックス位置とを関連付けて指定する手段と、
インデックス紙の印刷画像の向きと他の指定モードに適合した印刷画像の向きとを対比判断する手段と、前記それぞれの画像の向きが矛盾しているとき、インデックス紙への印刷画像の向きを優先して印刷するか、他の指定モードによる印刷画像の向きを優先して印刷を行うかを指定する手段と、該指定に従って印刷モードを切り替える手段と、
を備えたことを特徴とする画像形成装置。
【請求項４】
請求項１または請求項２の画像形成装置において、
前記解除したモードの内容をユーザーに対して通知する手段を備えたことを特徴とした画像形成装置。
【発明の詳細な説明】
【０００１】
【発明の属する技術分野】
本発明は、指定モードに適合した画面の向きで印刷可能な画像形成装置、とくにインデックスモードと他のモードとを組み合わせて印刷可能な画像形成装置に関するものである。
【０００２】
【従来の技術】
ＰＣの普及に伴うＤＴＰ（Ｄｅｓｋｔｏｐ　Ｐｕｂｌｉｓｈｉｎｇ）の波及は家庭のみならず、オフィスでの仕事の形態を変えてきている。従来製本作業は、印刷業者に依頼した上、何日も待たされなければ出来上がりを手にすることはできなかった。
しかるに昨今のデジタル画像形成装置に於いては、製本に必要な周辺機が接続でき、原稿をセットし、いくつかの操作を行えば、表紙、章区切り、ステープル、パンチ穴開けまで自動で行え、すぐに手に取ることができる。画像形成装置もこういったニーズに応えるべく、従来の製本で扱ってきた用紙が普通に使えるようにそのための技術開発が絶え間なく進められている。
画像形成装置において、例えばファイリング時に章区切り用紙を挿入することが知られているが、その用紙にインデックス紙を使用すると、目的の章のページを一気に探し当てることができるため一層使いやすい仕上がりになる。
【０００３】
しかしながら、このインデックス紙は、通常の定形サイズにインデックスの分だけ突出した用紙サイズとなるのが普通である。サイズが定形サイズでなくとも、矩形の用紙を給紙、印刷するだけであれば、従来の画像形成装置でも特別な装置を備えることなくとも行うことは可能である。
ところが、従来の画像形成装置の多くは、画先端と用紙先端を合わせるために、レジストローラーに付き当て、搬送部で発生したスキューを補正し、タイミングを見計らい、印刷を行っているため先頭に出っ張り（タブ）が当たると、特別な装置なしでは画像先端を用紙先端に合わせることはできない。そのため、必然的にインデックス部分のタブが後側となるように給紙せざるを得ない。
【０００４】
ところ、デでジタル画像形成装置では、従来アナログ機では実現不能であった、画像を回転して印刷することが当たり前になっており、装置の制約さえなければ、４方向のいずれの方向でも印刷出力することができる。
逆に言えば、どの方向にも回転出力できてしまうので、ユーザーは事前に仕上がりを想像できなくなる恐れもある。
通常は、画像サイズや、ソート、スタック、トレイ選択などのモードにより、画像回転角度を決定する為のアルゴリズムを有し、ルールに基づいた画像回転角度の決定を実施しているが、インデックス用紙による印刷のように用紙に方向性を伴った印刷では、これまでの回転角度決定のルールでは収まりがつかないことが発生する。
なお、インデックス用紙を用いた印刷についての先行技術文献そのものは存在しているが、インデックスモードを含む複数の印刷モードを設定したとき、夫々のモードが要求する用紙の向きの一致不一致を判断して、不一致のとき（つまり矛盾するとき）に印刷を行うことを記載した先行技術文献は存在していない。
【０００５】
【発明が解決しようとする課題】
ステープルやパンチなど画像と用紙の出力方向が規定されるモードで印刷（複写を含む）を行う場合には、これらのものではユーザによって指示されたインデックス位置とステープルやパンチ位置が合わないと印刷不能となるケースが発生する。
そこで、本発明はこのような場合にも印刷動作を中断しないようにし、印刷の効率を向上を目的とする。
各請求項に対応させてその目的を具体的に述べれば以下のとおりである。
本発明の第１の目的は、インデックス位置に合わせた画像の向きとステープルやパンチなどの他の出力画像の向きを規定するモードの画像の向きが合わない場合には、インデックス位置に合う画像の向きを優先して、他の出力画像の向きを規定するモードを自動的に解除して印刷することで、印刷動作を中断せずに効率よく行うことである。
第２の目的は、インデックス位置に合わせた画像の向きとステープルやパンチなどの他の出力画像の向きを規定するモードの画像の向きが合わない場合に、他の出力画像の向きを規定するモードの画像の向きを優先して、インデックス位置への画像の向きの指定を自動的に解除して印刷することで、印刷動作を中断せずに効率よく行うことである。
第３の目的は、請求項１または請求項２記載の画像形成装置において、インデックス位置に合わせた画像の向きとステープルやパンチなどの他の出力画像の向きを規定するモードの画像の向きが合わない場合には、インデックス位置に合う画像の向きを優先するか、他の出力画像の向きを規定するモードの画像の向きを優先するかを切り替える手段を設けることで、印刷方法の選択肢を広げ、ユーザーが所望する仕上りを選択できるようにすることである。
第４の目的は、請求項１または請求項２記載の画像形成装置において、インデックス位置に合わせた画像の向きとステープルやパンチなどの他の出力画像の向きを規定するモードの画像の向きが合わなくて印刷できず、インデックス位置に合う画像の向き、あるいは他の出力画像の向きを規定するモードの画像の向きを優先して印刷した時に、優先されずに解除されたモードの内容をユーザーに通知することで、ユーザーに対して所望の仕上がりが得られない旨を事前に知らせるようにすることである。
【０００６】
【課題を解決するための手段】
請求項１の発明は、指定モードに適合した画面の向きで印刷可能な画像形成装置において、画像の向きとインデックス位置とを関連付けて指定する手段と、インデックス紙の印刷画像の向きと他の指定モードに適合した印刷画像の向きとを対比判断する手段と、前記それぞれの画像の向きが矛盾しているとき、前記他の指定モードを解除すると共に指定した画像の向きとインデックス位置の指定により印刷を行うよう制御する手段と、を備えたことを特徴とする画像形成装置である。
請求項２の発明は、指定モードに適合した画面の向きで印刷可能な画像形成装置において、画像の向きとインデックス位置とを関連付けて指定する手段と、インデックス紙の印刷画像の向きと他の指定モードに適合した印刷画像の向きとを対比判断する手段と、前記それぞれの画像の向きが矛盾しているとき、指定した画像の向きとインデックス位置の指定を解除すると共に、前記他の指定モードにより印刷を行うよう制御する手段と、を備えたことを特徴とする画像形成装置である。
請求項３の発明は、指定モードに適合した画面の向きで印刷可能な画像形成装置において、画像の向きとインデックス位置とを関連付けて指定する手段と、インデックス紙の印刷画像の向きと他の指定モードに適合した印刷画像の向きとを対比判断する手段と、前記それぞれの画像の向きが矛盾しているとき、インデックス紙への印刷画像の向きを優先して印刷するか、他の指定モードによる印刷画像の向きを優先して印刷を行うかを指定する手段と、該指定に従って印刷モードを切り替える手段と、を備えたことを特徴とする画像形成装置である。
請求項４の発明は、請求項１または請求項２の画像形成装置において、前記解除したモードの内容をユーザーに対して通知する手段を備えたことを特徴とした画像形成装置である。
【０００７】
【発明の実施の形態】
以下、本発明の実施形態について説明する。
図１は、本発明に係る画像形成装置の一例としてのデジタル複写機の概略構成を示す断側面図である。
本例のデジタル複写機は、原稿台２に設置された原稿を自動に送り込む自動原稿送り装置（以下「ＡＤＦ」と記す）１、送り込まれた原稿の画像を読み取る読み取りユニット５０、読み取った画像を帯電ドラムに書き込む書き込みユニット５７、書き込まれた画像のトナー像を作る現像ユニット２７、トナー像を転写紙に転写、定着させる定着ユニット１７、転写紙を給紙する給紙装置８，９，１０、図１では図示されない操作部及びこれら各装置と協動する給紙ローラ、クラッチ、モータ等の関連装置、及びデジタル複写機の動作制御を行う制御装置を有する。
前記デジタル複写機の動作を、図１を参照して説明する。図１では図示が省略されている操作部４０（図２にて後述）のプリントキー４５の押下により動作がスタートすると、ＡＤＦ１の原稿台２に画像面を上にして置かれた原稿束は、一番下の原稿から給送ローラ３、給送ベルト４によってコンタクトガラス６上の所定の位置に給送される。この時、一枚の原稿の給送完了毎に原稿枚数をカウントアップするカウント機能により読み取り原稿の枚数が管理される。給送されたコンタクトガラス６上の原稿は読み取りユニット５０によって画像データが読み取られ、読み取りが終了した原稿は、給送ベルト４及び排送ローラ５によって排出される。さらに、原稿セット検知器（不図示）にて原稿台２に次の原稿があることを検知した場合、前の原稿と同様にコンタクトガラス６上に給送される。給送ローラ３、給送ベルト４、排送ローラ５は搬送モータ（不図示）によって駆動される。
【０００８】
書き込みユニット５７では、読み取りユニット５０にて読み取られた画像データに基づいて生成された作像データにより、レーザ出力ユニット５８のレーザの発光を制御し、感光体１５にレーザ書き込みにより潜像を作る。潜像を担う感光体１５は現像ユニット２７を通過することによって潜像にトナーを付着させ、トナー像が形成される。トナー像を保持する感光体１５の回転と等速で搬送ベルト１６によって転写紙を搬送しながら、転写紙に感光体１５上のトナー像を転写する。第１トレイ８、第２トレイ９、第３トレイ１０に積載された転写紙又はインデックス紙は、各々第１給紙装置１１、第２給紙装置１２、第３給紙装置１３によって給紙され、縦搬送ユニット１４によって感光体１５に当接する位置まで搬送される。転写後のトナー像を担った転写紙は、その後、定着ユニット１７にて画像を定着させ、排紙ユニット１８によって排紙トレイ１９に排出される。
【０００９】
転写紙の両面に画像を作像する場合は、各給紙トレイ８〜１０から給紙され作像された転写紙を排紙トレイ１９側に導くことなく、両面入紙搬送路１１３に搬送し、反転ユニット１１２でスイッチバック反転し両面搬送ユニット１１１に送る。両面搬送ユニットに送られた用紙は、再度縦搬送ユニット１４に送られて裏面に画像を印刷された後に排紙される。また、転写紙を反転して排出する場合は、上記反転ユニット１１２でスイッチバック反転した用紙を、両面ユニットに送らずに反転排紙搬送路１１４に送り出して排紙する。
感光体１５、搬送ベルト１６、定着ユニット１７、排紙ユニット１８、現像ユニット２７はメインモータ（不図示）によって駆動され、各給紙装置１１〜１３はメインモータの駆動を各々給紙クラッチ（不図示）によって伝達駆動される。縦搬送ユニット１４はメインモータの駆動を中間クラッチ（不図示）によって伝達駆動される。
なお、給紙トレイ自動選択（ＡＰＳ）の場合、図２で後述するコピーモードと原稿サイズから必要な給紙トレイを判断する。給紙トレイ手動選択の場合は、そのトレイを選択する。表紙モードや章句切り、合紙挿入モードが選択されている場合には、給紙トレイとは別に予め設定もしくは選択された表紙トレイ、インデックス紙トレイも選択する。
【００１０】
図２は、図１のデジタル複写機においてユーザーが指令入力を行うために設けられた操作部４０を示す。
操作部４０には、例えば、各モードを設定するための複数のモードを指定するモードキー４２、コピー枚数を設定するための１０キー（テンキー）４４、コピーや印刷動作を行うためのプリントキー４５、コピー動作を中断させるストップキー４６、試し印刷を行う試し印刷キー４７、原稿追加挿入キー４８、モードクリアキー４９が配置されている。
【００１１】
図３は図２の操作部４０のモードキー４２の拡大図である。
モードキー４２には、濃度を変更するインデックス印刷モードキー４２１、ステープルキー４２２，スタックキー４２３，章区切りキー４２４，ステープル位置キー４２５、表紙キー４２６，原稿方向キー４２７、変倍キー４２８、自動濃度キー４２９、自動用紙選択キー４３０、等倍キー４３１等がある。
【００１２】
ユーザーはこれらのキーを操作してコピーモードを設定し、コピーを開始する。
デジタル複写機は、セットされた原稿を感光体に直接作像するのではなく、ＣＣＤを通して内部メモリへ取りこむ。このメモリは有限であり、読み取り動作により残量がなくなった場合には、メモリフル判定がなされ、読み込み動作が中断する。
リピートコピーでは、この取り込んだ画像データを使用して、感光体上に作像する。原稿は原稿台の上に設置されたＡＤＦ（自動原稿搬送装置）の上に置かれ、コピースタートと同時に逐次読み込み位置まで搬送され、走査後に排出される。原稿を走査する際には画像情報のほかに原稿サイズ、原稿方向の情報を内部バッファに記憶する。
【００１３】
用紙トレイ自動選択（ＡＰＳ）モードであれば、設定されたコピーモードと原稿サイズから必要な用紙トレイを判断する。用紙トレイ手動選択時にはそのトレイを選択する。表紙モードや章句切り、合紙挿入モードが選択されている場合には、本文の用紙トレイとは別に予め設定もしくは選択された表紙トレイ、章区切り紙トレイも選択する。
印刷及び用紙搬送を実現するソフトウエアはこれらのコピーモードを各用紙面単位に分割し実行する。制御プログラム上この面毎の単位をプロセスと呼んでいる。印刷プロセスを作成し、エンジン制御プログラムに対して発行することで、制御装置により紙搬送制御や印刷動作制御を実現する。印刷が完了するとプロセス実行終了の応答が発生し、すべてのプロセスを実行すると印刷が終了する。原稿束の終了はＡＤＦにて自動的に判断できてもよいし、手動で指示する手段があってもよい。
【００１４】
ユーザーコードモードは、各ユーザーを識別する任意の番号を入力し、ユーザー別に使用回数や印刷枚数を管理するモードである。
スキャンした原稿を置く向きを設定する原稿向き（原稿方向）指定モードは、ユーザーから見て、その原稿に書かれている内容が読める方向で機械にセットする場合には読める向きを、時計回りに２７０度回転させてセットする場合には読めない向きをセットする。たとえばＡ３原稿のように、ＡＤＦもしくはコンタクトガラス上に一方向にしかセットできない原稿に対しても、読み取りの画像の向きを踏まえた印刷が可能となる。
【００１５】
また、ＰＣなど画像形成装置外から画像を転送し印刷するプリンタでも、同様の印刷が可能であり、ユーザーが指定した設定に従い、印刷を行う。詳細については自明なためここでは省略する。
【００１６】
インデックス紙への画像の向き指定またはインデックスモードなどのインデックス紙を伴なう印刷のモードキーまたは指定キー（例えば図３に示すインデックス印刷モードキー４２１）を選択することで、インデックス紙への画像の向き指定画面へ移行し、画像に対するインデックス位置を図４の５０２〜５０５の各キーにて右／下／左／上の何れかの位置を選択することで実現する。
図４は５０２の右キーを選択した状態を示している。
また、トレイの各インデックス紙に対して、同様の設定を行うのも有効である。
【００１７】
次に、本発明の動作を各請求項毎に説明する。
図５に請求項１に係る画像形成装置の動作フローの一例を示す。
ここでは、インデックス紙を伴なうモードとパンチモードを組み合わせた場合の動作を実施例として説明を行う。
印刷モードがインデックス紙を伴なう印刷であって（Ｓ１０１、ＹＥＳ）、ユーザによる画像に対するインデックスの印刷方向の指定があれば（Ｓ１０２、ＹＥＳ）、図示しない制御手段がユーザーが指定したインデックス位置と入力画像の向きと機械構成から搬送方向後端にインデックスが来るように画像回転角度を算出して画像を回転させる。
さらに、ユーザによりパンチモードが設定されていると（Ｓ１０３、ＹＥＳ）、前記制御装置は、指定パンチポジションと指定インデックス位置が合うか否かを対比判断し（Ｓ１０４）、パンチポジションとインデックス位置が合わない場合には（Ｓ１０４、ＹＥＳ）、パンチモードの指定を解除して（Ｓ１０５）印刷を開始する。
以上の各ステップにおいて、ＮＯの場合はいずれも設定された条件でそのまま印刷を行う。
【００１８】
図６は指定インデックス位置とパンチポジションの組み合わせを例示した図である。
ここでのパンチは、搬送方向に対して先端にしかパンチができない機構を想定している。インデックス位置を右に指定し、パンチポジションを上に指定した場合、それぞれの指定位置に合う画像の向きは図に示す通り異なるつまり矛盾している。従ってそのままでは印刷を行うことができないから、パンチモードの指定を解除してインデックス位置にだけ合わせて印刷を行う。
【００１９】
図７は請求項２に係る画像形成装置の動作フローの一例を示す。
請求項１に係る画像形成装置の動作フローと同様に、インデックス紙を伴なうモードとパンチモードを組み合わせた場合の動作を一例として説明する。
指定された印刷モードがインデックス紙を伴なう印刷の場合で（Ｓ２０１、ＹＥＳ）、画像に対するインデックスの印刷方向の指定があれば（Ｓ２０２、ＹＥＳ）、図示しない制御装置がユーザーが指定したインデックス位置と入力画像の向きと機械構成から搬送方向後端にインデックスが来るように画像回転角度を算出して画像を回転する。
さらにパンチモードが設定されている場合は（Ｓ２０３、ＹＥＳ）、前記制御装置は、指定パンチポジションと指定インデックス位置が合うか否かを対比判断し（Ｓ２０４）、パンチポジションとインデックス位置が合わないと判断したときは（Ｓ２０４、ＹＥＳ）、インデックスの位置指定を解除して（Ｓ２０５）印刷することを指示する。
なお、以上の各ステップにおいて、ＮＯの場合はいずれも設定された条件でそのまま印刷を行う。
【００２０】
図８は指定インデックス位置とパンチポジションの組み合わせ例を示す図である。ここでのパンチは、搬送方向に対して先端にしかパンチができない機構を想定する。
インデックス位置を用紙の下に指定、パンチポジションを用紙の左に指定した場合、それぞれの指定位置に合う画像の向きは図に示す通り縦横となり異なる。その結果、ここでは搬送方向に対して先端にしかパンチができない機構であることを考慮して、インデックスの位置指定を解除してパンチポジションにだけ合わせて印刷することを指示する。
【００２１】
図９は請求項３に係る画像形成装置の動作フローの一例を示す。
先行例と同様にインデックス紙を伴うモードとパンチモードを組み合わせた場合の動作を実施例として説明する。
インデックス紙を伴なう印刷の場合は（Ｓ３０１、ＹＥＳ）、ユーザはインデックス位置の指定をすると共に、インデックス位置の指定を他のモードよりも優先させるか、させないかの設定も同時に行う（Ｓ３０２）。さらにパンチモードが設定されている場合に（Ｓ３０３、ＹＥＳ）、図示しない制御装置は、指定パンチポジションと指定インデックス位置が合うか否かを対比判断する（Ｓ３０４）。そして、パンチポジションとインデックス位置が合わないと判断したときは（Ｓ３０４、ＹＥＳ）、インデックス位置の優先設定に従いつまりインデックス位置の優先が設定されていれば（Ｓ３０５、ＹＥＳ）、パンチ指定を解除し（Ｓ３０６）、インデックス位置の優先が設定されてなければ（Ｓ３０５、ＮＯ）、インデックス位置の指定を解除し（Ｓ３０７）、印刷することを指示する。
なお、以上の各ステップにおいて、ＮＯの場合はいずれも設定された条件でそのまま印刷を行う。
【００２２】
図１０はインデック位置優先設定の指定方法の例を示す。インデックス位置優先「する」６０６、「しない」６０７のキー押下によりインデックス位置優先設定の指定を行う。
【００２３】
図１１は、請求項４の画像形成装置の動作フローの一例を示す。
先例と同様にインデックス紙を伴うモードとパンチモードを組み合わせた場合の動作を実施例として説明する。
印刷モードがインデックス紙を伴なう印刷の場合で（Ｓ４０１、ＹＥＳ）、ユーザによる画像に対するインデックスの印刷方向の指定があれば（Ｓ４０２、ＹＥＳ）、図示しない制御装置は、ユーザーが指定したインデックス位置と入力画像の向きと機械構成から搬送方向後端にインデックスが来るように画像回転角度を算出して画像を回転させる。
さらにパンチモードが設定されていれば（Ｓ４０３、ＹＥＳ）、前記制御装置は、指定パンチポジションと指定インデックス位置が合うか否かを判断する（Ｓ４０４）。そして、パンチポジションとインデックス位置が合わない場合には（Ｓ４０４、ＹＥＳ）、パンチモードの指定を解除して（Ｓ４０５）印刷を開始すると共に、パンチが解除された旨を操作パネルに、例えば、図１２に示すように「パンチモードは解除しました」と警告表示してユーザーに伝える（Ｓ４０６）。
ここで、警告表示は図１２に示すものに限らずユーザに通知できるものであれば、例えば音声によるなど他の手段でもよい。
なお、以上の各ステップにおいて、ＮＯの場合はいずれも設定された条件でそのまま印刷を行う。
【００２４】
【発明の効果】
請求項１に対応する効果：インデックス位置に合わせた画像の向きとステープルやパンチなどの他の出力画像の向きを規定するモードの画像の向きが合わない場合には、インデックス位置に合う画像の向きを優先して、他の出力画像の向きを規定するモードを自動的に解除して印刷することで、ユーザーにモード解除の手間を省くと共に、印刷動作を中断せずに効率よく行うことができる。
請求項２に対応する効果：インデックス位置に合わせた画像の向きとステープルやパンチなどの他の出力画像の向きを規定するモードの画像の向きが合わない場合には、他の出力画像の向きを規定するモードの画像の向きを優先して、インデックス位置への画像の向きの指定を自動的に解除して印刷することで、ユーザーにモード解除の手間を省くと共に、印刷動作を中断せずに効率よく行うことができる。
請求項３に対応する効果：請求項１または請求項２記載の画像形成装置において、インデックス位置に合わせた画像の向きとステープルやパンチなどの他の出力画像の向きを規定するモードの画像の向きが合わない場合には、インデックス位置に合う画像の向きを優先するか、他の出力画像の向きを規定するモードの画像の向きを優先するかを切り替える手段を設けることで、印刷方法の選択伎を広げ、ユーザーが所望する仕上りを選択できることを可能にすると共に、ミスコピーの防止にも繋がる。
請求項４に対応する効果：請求項１または請求項２記載の画像形成装置において、インデックス位置に合わせた画像の向きとステープルやパンチなどの他の出力画像の向きを規定するモードの画像の向きが合わなくて印刷できず、インデックス位置に合う画像の向き、あるいは他の出力画像の向きを規定するモードの画像の向きを優先して印刷した時に、優先されずに解除されたモードの内容をユーザーに通知することで、ユーザーに対して所望の仕上がりが得られない旨を知らせることができるため、ユーザはその時点で印刷続行か中止かの選択が可能である。
【図面の簡単な説明】
【図１】本発明の画像形成装置の１実施形態の概略構成を示す断側面図である。
【図２】画像形成装置の操作パネルの一例を示す図である。
【図３】図２の操作パネルのモードキーの拡大図である。
【図４】インデックスモード指定画面の一例を示す図である。
【図５】画像形成装置の動作フローの一例を示す図である。
【図６】指定インデックス位置とパンチポジションの組み合わせ一例を示した図である。
【図７】画像形成装置の他の動作フローの一例を示す図である。
【図８】指定インデックス位置とパンチポジションの組み合わせの他の例を示した図である。
【図９】画像形成装置の他の動作フローの一例を示す図である。
【図１０】インデックスモード指定画面の他の例を示す図である。
【図１１】画像形成装置の他の動作フローの一例を示す図である。
【図１２】インデックスモード指定画面の警告表示の一例を示す図である。
【符号の説明】
１・・・自動原稿送り装置、２・・・原稿台、３・・・給送ローラ、４・・・給送ベルト、５・・・排送ローラ、６・・・コンタクトガラス、８・・・第１トレイ、９・・・第２トレイ、１０・・・第３トレイ、１１・・・第１給紙装置、１２・・・第２給紙装置、１３・・・第３給紙装置、１４・・・縦搬送ユニット、１５・・・感光体、１６・・・搬送ベルト、１７・・・定着ユニット、１８・・・排紙ユニット、１９・・・排紙トレイ、４０・・・操作部、４２・・・モードキー、４４・・・テンキー、４５・・・プリントキー、４６・・・ストップキー４７・・・印刷キー、４８・・・原稿追加挿入キー、４９・・・モードクリアキー。
【図１】
2004109507.tif 000003
【図２】
2004109507.tif 000004
【図３】
2004109507.tif 000005
【図４】
2004109507.tif 000006
【図５】
2004109507.tif 000007
【図６】
2004109507.tif 000008
【図７】
2004109507.tif 000009
【図８】
2004109507.tif 000010
【図９】
2004109507.tif 000011
【図１０】
2004109507.tif 000012
【図１１】
2004109507.tif 000013
【図１２】
2004109507.tif 000014